(57)【要約】【課題】冷却ファンの吸引風を防塵ネットによって濾過し、この防塵ネットに付着した塵埃を除去する際に、塵埃がラジエータに付着することを防止する。【解決手段】ラジエータ（２）及び冷却ファン（１）の周りを周回する無端状の防塵ネット（４ａ，４ｂ）を、冷却ファン（１）の軸心を挟んで複数備える。また、複数の防塵ネット（４ａ，４ｂ）の間の間隙部に、防塵ネット（４ａ，４ｂ）の間からラジエータ（２）側への塵埃の侵入を防止する中間防塵体（３）を備える。また、中間防塵体（３）の少なくとも一部を、防塵ネット（４ａ，４ｂ）と重なるように配置する。【選択図】図１
2014028583.tif 000002
【特許請求の範囲】
【請求項１】
エンジン（５）と、該エンジン（５）の外側に配置されるラジエータ（２）と、該ラジエータ（２）とエンジン（５）の間に配置される冷却ファン（１）を備える作業車両の原動部構造において、前記ラジエータ（２）及び冷却ファン（１）の周りを周回する無端状の防塵ネット（４ａ，４ｂ）を、冷却ファン（１）の軸心を挟んで複数備えたことを特徴とする作業車両の原動部構造。
【請求項２】
前記各防塵ネット（４ａ，４ｂ）の間に形成された間隙部に、ラジエータ（２）側への塵埃の侵入を防止する中間防塵体（３）を備えた請求項１記載の作業車両の原動部構造。
【請求項３】
前記中間防塵体（３）の少なくとも一部が前記防塵ネット（４ａ，４ｂ）と重なるように配置した請求項２記載の作業車両の原動部構造。
【請求項４】
前記中間防塵体（３）の外側面を、冷却ファン（１）の軸心方向に対して傾斜させた請求項２または請求項３記載の作業車両の原動部構造。
【発明の詳細な説明】
【技術分野】
【０００１】
本発明は、コンバイン等の特に塵埃の多い環境で使用される作業車両の原動部構造に関する。
【背景技術】
【０００２】
例えば、特許文献１記載の技術は、コンバインのエンジンを冷却するラジエータの除塵装置で、冷却ファンで吸引冷却するラジエータの外気側に、ラジエータの前面に亘って回転防塵ネットを設け、該回転防塵ネットの左右或いは上下の回動端部に除塵用ブラシを設けた構成で、回転防塵ネットの外側に塵埃が堆積してくると、除塵用ブラシで除塵しながら防塵ネットを周回して外側と内側を入れ換える構成である。
【先行技術文献】
【特許文献】
【０００３】
【特許文献１】特開２０１２−１１１４５３号公報
【発明の概要】
【発明が解決しようとする課題】
【０００４】
前記の従来技術では、回転防塵ネットの外側面が除塵用ブラシで除塵されてラジエータ直前の内側面となるので、除塵用ブラシで取り残した回転防塵ネットに絡んだ塵埃が冷却風でラジエータ側に吸引されてラジエータが短期間で目詰まりを発生して冷却効果が低下してくる。
【０００５】
本発明は、冷却ファンの吸引作用によってラジエータに向かって来る塵埃をネットで防ぎながらネットに堆積する塵埃をラジエータ側へ飛散させることなく除去することができる作業車両の原動部構造を具現することを課題とする。
【課題を解決するための手段】
【０００６】
上記本発明の課題は、次の技術手段により解決される。
請求項１に記載の発明は、エンジン（５）と、該エンジン（５）の外側に配置されるラジエータ（２）と、該ラジエータ（２）とエンジン（５）の間に配置される冷却ファン（１）を備える作業車両の原動部構造において、前記ラジエータ（２）及び冷却ファン（１）の周りを周回する無端状の防塵ネット（４ａ，４ｂ）を、冷却ファン（１）の軸心を挟んで複数備えたことを特徴とする作業車両の原動部構造とした。
【０００７】
請求項２に記載の発明は、前記各防塵ネット（４ａ，４ｂ）の間に形成された間隙部に、ラジエータ（２）側への塵埃の侵入を防止する中間防塵体（３）を備えた請求項１記載の作業車両の原動部構造とした。
【０００８】
請求項３に記載の発明は、前記中間防塵体（３）の少なくとも一部が前記防塵ネット（４ａ，４ｂ）と重なるように配置した請求項２記載の作業車両の原動部構造とした。
請求項４に記載の発明は、前記中間防塵体（３）の外側面を、冷却ファン（１）の軸心方向に対して傾斜させた請求項２または請求項３記載の作業車両の原動部構造とした。
【発明の効果】
【０００９】
請求項１に記載の発明によれば、ラジエータ（２）及び冷却ファン（１）の周りを周回する無端状の防塵ネット（４ａ，４ｂ）を備えているので、冷却ファン（１）により吸入された塵埃を含む外気は、防塵ネット（４ａ，４ｂ）によって濾過されてラジエータ（２）を通過する。そして、防塵ネット（４ａ，４ｂ）が周回することで、塵埃が付着した防塵ネット（４ａ，４ｂ）の部位は、冷却ファン（１）の送風方向の下手側へ移動し、付着していた塵埃は、原動部の内側、すなわち、エンジン（５）側へ吹き飛ばされる。そのため、防塵ネット（４ａ，４ｂ）に付着した塵埃が少ない状態を維持することができ、ラジエータ（２）の冷却効率が高い状態を維持することができる。
【００１０】
また、防塵ネット（４ａ，４ｂ）は、冷却ファン（１）の軸心を挟んで配置されているので、冷却ファン（１）を駆動するための伝動部材を、防塵ネット（４ａ，４ｂ）の間に配置することができ、原動部の構造を簡単化して、製造コストを低減することができる。
【００１１】
請求項２に記載の発明によれば、請求項１記載の発明による効果に加えて、複数の防塵ネット（４ａ，４ｂ）の間に形成された間隙部に、ラジエータ（２）側への塵埃の侵入を防止する中間防塵体（３）を備えているので、ラジエータ（２）の目詰まりを抑制することができる。
【００１２】
請求項３に記載の発明によれば、請求項２記載の発明による効果に加えて、中間防塵体（３）の少なくとも一部が防塵ネット（４ａ，４ｂ）と重なるように配置されているので、中間防塵体（３）と防塵ネット（４ａ，４ｂ）の間からラジエータ（２）側へ塵埃が進入することを防止できる。
【００１３】
請求項４に記載の発明によれば、請求項２または請求項３記載の発明による効果に加えて、中間防塵体（３）に堆積しようとする塵埃が、冷却ファン（１）の軸心方向に対して傾斜した面を滑って防塵ネット（４ａ，４ｂ）に向けて移動するので、中間防塵体（３）の外面への塵埃の堆積を防止できる。
【図面の簡単な説明】
【００１４】
【図１】本発明のラジエータの冷却風除塵装置の平面図である。
【図２】本発明のラジエータの冷却風除塵装置の斜視図である。
【図３】本発明のラジエータの冷却風除塵装置の側断面図である。
【図４】別実施例のラジエータの冷却風除塵装置の側断面図である。
【図５】別実施例のラジエータの冷却風除塵装置の平面図である。
【図６】別実施例のラジエータの冷却風除塵装置の側断面図である。
【図７】別実施例のラジエータの冷却風除塵装置の側面図である。
【図８】別実施例のラジエータの冷却風除塵装置の平断面図である。
【発明を実施するための形態】
【００１５】
以下、本発明の実施形態を図面に示す実施例を参照しながら説明する。
図１から図４に示す実施例で、エンジン５の出力軸６に冷却ファン１を固着し、この冷却ファン１の外側にラジエータ２を配置し、さらに外側に網目状のエンジンカバー７を配置している。
【００１６】
ラジエータ２と冷却ファン１を上下で取り囲むように四隅に設ける駆動ローラ９と従動ローラ８ａ，８ｂ，８ｃで防塵ネット４ａ，４ｂを無端状に張り、駆動ローラ９を電動モータ１０で駆動する。なお、従動ローラ８ａ，８ｂ，８ｃを滑りやすい棒状のガイドにして、防塵ネット４ａ，４ｂの上下端をガイドする鍔を設ける構成にしたり、防塵ネット４ａ，４ｂの左右反転部に鍔付きガイド板を設けたりする構成にしても良い。
【００１７】
また、駆動ローラ９、従動ローラ８ａ，８ｂ，８ｃ間に、防塵ネット４ａ，４ｂの弛みを防止するためのガイド部材を設けてもよい。
防塵ネット４ａ，４ｂの外側で出力軸６を含む左右帯状に中間防風体（中間防塵体）３を、その一部を防塵ネット４ａ，４ｂに重ねた状態で設ける。この中間防風体３は表面の滑らかな板で、冷却風を通さなく、図３の如く、平面状の平板でも良く、図４の如く外側へ突出した山形板でも良い。
【００１８】
なお、防塵ネット４ａ，４ｂに冷却風で周回動をさせる翼板を設けることで、電動モータ１０等の駆動装置を必要とせずに、防塵ネット４ａ，４ｂがゆっくりと周回するようにしても良い。
【００１９】
図３の実施例では、冷却ファン１がラジエータ２を通して吸引する冷却風が防塵ネット４ａ，４ｂの外側を通過する際に塵埃を捕獲し、冷却ファン１からエンジン５側へ吹き抜ける冷却後の排風が防塵ネット４ａ，４ｂの内側である冷却ファン１のエンジン５側を通過する際に防塵ネット４ａ，４ｂに捕獲した塵埃を吹き飛ばすようになって、防塵ネット４ａ，４ｂから塵埃を除去するようになる。
【００２０】
中間防風体３は冷却風が通過しないので、その外側には塵埃が蓄積することがないが、冷却風が防塵ネット４ａ，４ｂを通過する際に一部の塵埃が載ることが有っても防塵ネット４ａ，４ｂ側へ滑って防塵ネット４ａ，４ｂに捕獲される。特に、図４の如く、中間防風体３が山形に外側へ突出していると、塵埃が防塵ネット４ａ，４ｂ側へ滑り易くなる。
【００２１】
防塵ネット４ａ，４ｂは、ゆっくりした速度で周回させても良く、塵埃が堆積する一定のタイミングで外側と内側が入れ代るように周回させても良い。
なお、前記実施例では防塵ネット４ａ，４ｂをラジエータ２の上下に配置しているが、中間防風体３を上下に長くして、その左右に配置した構成でも良い。
【００２２】
図５と図６に示す実施例は、ラジエータ２の外側に集気容器１６と四個の旋回流発生器１５を設けて、冷却ファン１の冷却風を四個の旋回流発生器１５と集気容器１６を通してラジエータ２に導いた構成で、旋回流発生器１５の吸気口１５ａから空気を取り込み、旋回流発生器１５内の旋回流で塵埃を下部の塵埃取り出し口１５ｂから落下させ、連通管１７を通って集気容器１６に入った空気がラジエータ２に向けて吸引されてラジエータ２を冷却する。
【００２３】
図７に示す実施例は、原動カバー２０のフィルター部２１の内側に回転する遮風板２２を設けた構成で、原動カバー２０の外側に冷却ファンの回転中心近傍位置から斜め下方に向けた藁屑ガイド２３を設けた構成で、遮風板２２の回動で付着力を失った藁屑等が藁屑ガイド２３に沿って地上へ落下するようにしている。
【００２４】
図８に示す実施例は、原動カバー２０のフィルター部２１の内側に遮風板２２を横移動するようにした構成で、遮風板２２が原動カバー２０外側の塵埃排出路２５を横切って移動するようにすることで、遮風板２２の横移動に伴ってフィルター部２１の外側に付着した塵埃が塵埃導入口２６から塵埃排出路２５に導かれてフィルター部２１に塵埃が停滞しないようになる。
【００２５】
冷却ファンを適宜時間に逆回転させて原動カバー２０のフィルター部２１に付着する藁屑等を吹き出して除去する構成では、コンバインのエンジンがアイドリング中や駐車ブレーキを踏んでいる時に冷却ファンを逆回転させる頻度を多くすることで、収穫作業中の冷却ファン逆回転時間を減らして作業可能時間を長く出来る。
【符号の説明】
【００２６】
１  冷却ファン
２  ラジエータ
３  中間防風体（中間防塵体）
４ａ  防塵ネット
４ｂ  防塵ネット
５  エンジン
【図１】
2014028583.tif 000003
【図２】
2014028583.tif 000004
【図３】
2014028583.tif 000005
【図４】
2014028583.tif 000006
【図５】
2014028583.tif 000007
【図６】
2014028583.tif 000008
【図７】
2014028583.tif 000009
【図８】
2014028583.tif 000010